(57)【要約】 【課題】前面板部分の開口縁部が容易に変形しないと共に、施錠片に対する側圧強度を図ること。【解決手段】身側又は蓋側のいずれか一方の前面板部分に連設する幅広側壁の開口部分側端部及び該側端部の垂直縁部１７ａから外方向に略９０度折り曲げ形成された突片部２１に突条２０ａを形成し、前記突条の一部が施錠片ｂの一側壁ｂ１と当接することを特徴とする建具用錠箱。【選択図】  図８
2008002166.tif 000002
【特許請求の範囲】
【請求項１】
身側又は蓋側のいずれか一方の前面板部分に連設する幅広側壁の開口部分側端部及び該側端部の垂直縁部１７ａから外方向に略９０度折り曲げ形成された突片部２１に突条２０ａを形成し、前記突条の一部が施錠片ｂの一側壁ｂ１と当接することを特徴とする建具用錠箱。
【請求項２】
請求項１に於いて、突片部２１の先端面２１ｂは、戸先の窪みの垂直縁部に当接することを特徴とする建具用錠箱。
【請求項３】
請求項１に於いて、突条は、水平方向に複数本形成されていることを特徴とする建具用錠箱。
【請求項４】
身側の開口部分を有する前面板部分と蓋側の開口部分を有する前面板部分とフロント板とが前後方向に一体的に重なり合う構成の錠箱に於いて、少なくとも一つの前面板部分に連設する幅広側壁の開口部分側端部及び該端部から折り曲げ形成された状態で延びる突片部に突条を形成し、少なくとも前記突条の一部が施錠片の一側壁と当接することを特徴とする建具用錠箱。
【請求項５】
請求項４に於いて、一方側の前面板部分は、施錠片用開口部分を有する単数であると共に、水平方向の上片並びに下片の各前端に対してそれぞれ外方向に突出する上下の垂直連結部分を連続的に有し、また、前面板部分は垂直連結部分に対して上片並びに下片側に多少後退する位置に凹み状に存在し、一方、他方側の前面板部分は、施錠片用開口部分と連通する開口部分を有する単数であり、かつ、フロント板と後側に位置する前面板部分にサンドイッチ状態に挟持されることを特徴とする建具用錠箱。
【請求項６】
請求項４に於いて、突条及び突片部は、上下一組の前面板がそれぞれ独立的に離れている蓋側又は身側のいずれかに形成されていることを特徴とする建具用錠箱。
【発明の詳細な説明】
【技術分野】
【０００１】
本発明は、建具用錠箱に関する。
【背景技術】
【０００２】
特許文献１には、「錠箱の身と蓋とを、錠箱の側板となる部分を底面とし、夫々一面が開いた浅い箱状に成形し、これら身と蓋とを夫々の開口を対向させ、フロント板に対向する複数の前面板を除くコ字形の開口端縁を相互に接合させて錠箱を構成するものであって、前面板には、フロント板を貫通して出没する部材が通る切欠を形成すると共に、前面板の底面からの高さ及び形成位置を、コ字形の開口端縁が相互に接合した状態において重合して接合できるように設定し、一方、相互に重合する前面板の少なくとも１ヵ所においてこれらを結合した後、前面板とフロント板とを相互に接合させてこれらを複数箇所で結合した錠箱の構造」が開示されている。
【０００３】
付言すると、特許文献１に記載の錠箱は、フロント板に対して裏板と称される複数の前面板を二重構造にして、錠箱の強度及び剛性を図るものである。
【０００４】
しかしながら、特許文献１も含め、錠箱（たとえば身側の前面板部分と蓋側の前面板部分とフロント板とが前後方向に一体的に重なり合う構成の錠箱）に於いて、扉を介して少なくとも施錠片に対して側圧がかかったときに、側圧強度を高める工夫がなされていない。そこで、錠箱に対して、施錠片に対する側圧強度を図ることが求められている。
【０００５】
なお、特許文献１は、例えば身側の上下一組の前面板と、水平方向の上片並びに下片の各前端から垂直方向にそれぞれ突出する上下の連結板をそれぞれ独立的に構成する点、多数の前面板及び連結板をそれぞれ別個に折り曲げ成形する点、身側の前面板と蓋側のそれとをそれぞれ複数個の固着手段で固定する点等の理由から、製作乃至組み合わせが容易でないという問題点がある。
【特許文献１】特開２００５−１３９６８４号公報
【発明の開示】
【発明が解決しようとする課題】
【０００６】
本発明の初期の目的は、身側又は蓋側のいずれか一方の前面板部分の開口縁部が容易に変形しないと共に、施錠片に対する側圧強度を図ることである。また、本発明の二次的な目的は、特許文献１の問題点に鑑み、錠箱の強度及び剛性を図りつつ、製作（コストダウン）並びに組み合わせの容易化を達成することである。
【課題を解決するための手段】
【０００７】
本発明の建具用錠箱は、身側又は蓋側のいずれか一方の前面板部分に連設する幅広側壁の開口部分側端部及び該側端部の垂直縁部１７ａから外方向に略９０度折り曲げ形成された突片部２１に突条２０ａを形成し、前記突条の一部が施錠片ｂの一側壁ｂ１と当接することを特徴とする。
【０００８】
また、本発明の建具用錠箱は、身側の開口部分を有する前面板部分と蓋側の開口部分を有する前面板部分とフロント板とが前後方向に一体的に重なり合う構成の錠箱に於いて、少なくとも一つの前面板部分に連設する幅広側壁の開口部分側端部及び該端部から折り曲げ形成された状態で延びる突片部に単数又は複数の突条を形成し、少なくとも前記突条の一部が施錠片の一側壁と当接することを特徴とする。
【０００９】
また、一方側の前面板部分は、施錠片用開口部分を有する単数であると共に、水平方向の上片並びに下片の各前端に対してそれぞれ外方向に突出する上下の垂直連結部分を連続的に有し、また、前面板部分は垂直連結部分に対して上片並びに下片側に多少後退する位置に凹み状に存在し、一方、他方側の前面板部分は、施錠片用開口部分と連通する開口部分を有する単数であり、かつ、フロント板と後側に位置する前面板部分にサンドイッチ状態に挟持されることを特徴とする。
【００１０】
ここで「一方側」並びに「他方側」の各用語は、たとえば身側の前面板部分を一方側とした場合に、蓋側の前面板部分が他方側になる意味合いである。したがって、蓋側の前面板部分を一方側とした場合には、身側の前面板部分は他方側になる。また、「多少後退する位置に凹み状に存在し」とは、例えば蓋側の前面板部分がフロント板と後側に位置する身側の前面板部分にサンドイッチ状態に挟持されたとき、フロント板の裏面が前記身側の前面板部分に連設する上下の垂直連結部分の前面に面接触する意味である。
【発明の効果】
【００１１】
（ａ）突片部２１の先端面２１ｂが、フロント板等が入り込む戸先の窪みの垂直縁部に当接するので、該突片部２１が、いわゆるストッパーとなり、前面板部分の開口縁部が容易に変形しない。
（ｂ）少なくとも一つの前面板部分に連設する幅広側壁の端部と、該端部から角度方向に延びる突片部に単数又は複数の突条を形成し、少なくとも前記突条の一部が施錠片の一側壁と当接するので、施錠片、例えばデッドボルト側圧に対する強度を向上させることができる。
（ｃ）請求項３に記載の発明は、突条が複数本なので、容易に変形しない。
（ｄ）請求項４に記載の発明は、身側の前面板部分と蓋側の前面板部分がそれぞれ単数であること、身側の前面板部分と蓋側の前面板部分とを互いに固着手段で固定しない反面、他方側（例えば蓋側）の前面板部分をフロント板の背面と一方側（例えば身側）の前面板部分とでサンドイッチ状態に挟持することから、プレス成形の際に折り曲げ工数を減らすことができると共に、例えば使用の際にフロント板と前後の前面板部分を簡単に合体させることができる。したがって、錠箱の強度及び剛性を図りつつ、製作乃至組み合わせの容易化を達成することができる。
【発明を実施するための最良の形態】
【００１２】
以下、図１乃至図１２に示す本発明を実施するための最良の形態により説明する。
【００１３】
（１）発明の実施の環境
図１、図２は発明の実施の環境を示す概略説明図である。図１、図２に於いて、Ｘは建具用錠箱で、この錠箱は、身側の前面板部分と蓋側の前面板部分とフロント板とが前後方向に一体的に重なり合う構成である。
【００１４】
この錠箱Ｘには、ダルマと称される駆動腕部材ａ、該駆動腕部材ａと係合し、かつ、該駆動腕部材の駆動力により進退動する施錠片ｂ、前記駆動腕部材に圧接するクリック手段ｃ等が適宜に組み込まれている。なお、前記施錠片（デッドボルト）ｂには、鎌片ｄが可動軸ｅを介して連動するように設けられている。
【００１５】
（２）錠箱Ｘの身１
１は錠箱Ｘの身で、この身１は、図４乃至図６で示すように（取り付け孔、軸孔等は省略）、錠箱Ｘの一方の側面となる幅広側壁（幅広の底面）１ａと、上片１ｂ、後片１ｃ、下片１ｄ及び単数の前面板６とを有する。
【００１６】
前記前面板（一方側）６は、図５で示すように、施錠片用の開口部分（実施例では切欠）７を有する単数であると共に、水平方向の上片１ｂ並びに下片１ｄの各前端に対してそれぞれ外方向に突出する上下の垂直連結部分５、５を連続的に有する。
【００１７】
そして、前記前面板部分６は前記上下の垂直連結部分５、５に対して上片１ｂ並びに下片１ｄ側に多少後退する位置に存在する。換言すれば、開口部分７を有する一つの前面板６は、段差状に連設する上下の垂直連結部分５、５に対して若干凹んでいる（凹んでいる部分が前面板部分６である）。
【００１８】
次に、符号８は、上片１ｂ並びに下片１ｄの各前端と一つの前面板６の上下端部の間にそれぞれ形成されたスリットである。上下の垂直連結部分５、５を連続的に有する一つの前面板６は、これらのスリット８、８を介して手前側（図４を基準）に９０度折曲げ形成されている。したがって、幅広の底面１ａの前面板６側をプレスで折り曲げると、前面板６乃至上下の垂直連結部分５、５が一度に出来上がる。
【００１９】
なお、例えば底面視の図６で示すように、下片１ｄ（上片１ｂも同様）の接合端縁は、後述する蓋のそれに対応するように段差状に形成されている。また、上下の垂直連結部分５、５には、図１、図２で示すように、フロント板１１の上下の固着具用取り付け孔と符合する貫通孔９、９が形成されている。細部的事項は割愛する。
【００２０】
（３）錠箱Ｘの蓋２
２は錠箱Ｘの蓋で、この蓋２は、図７乃至図９で示すように（取り付け孔、軸孔等は省略）、錠箱Ｘの他方の側面となる幅広側壁（カバー面）２ａと、上片２ｂ、後片２ｃ、下片２ｄ及び単数の前面板１６とを有する。
【００２１】
前記前面板（他方側）１６は、図８で示すように、施錠片用の開口部分１７を有する単数である。この点、一方側の前面板６と同様であるが、前記施錠片用の開口部分１７は、切欠ではなく、縦長矩形状に形成されている。
【００２２】
しかして、本実施例の前面板（他方側）１６は、少なくとも一つの前面板部分１６に連設する幅広側壁２ａの端部及び該端部から折り曲げ形成された状態で延びる突片部２１に単数又は複数の突条２０を一連に形成し、前記突条２０の一部（例えば折り曲げ箇所）が施錠片ｂの一側壁ｂ１と当接する。前記突条２０は、水平方向に平行状態で複数本（例えば２本）形成されている。
【００２３】
前記単数又は複数の突条２０は、後述するように突片部２１を折り曲げる前に、プレスで縦断面凹凸状に形成される。この突片部２１の縦方向に長さに関しては、図８で示すように、開口部分１７を形成する垂直縁部１７ａ側の根元部２１ａが、折り曲げ形成された先端部２１ｂよりも長い。
【００２４】
また、突片部２１は、開口部分１７側或いは前面板部分１６から前方側に若干食み出るような状態で外方向に略９０度折り曲げ形成されている。したがって、本実施例の複数本の突条２０は、それらの全体がそれぞれ施錠片ｂの一側壁ｂ１に同時に当接するのではなく、例えば突片部２１の開口部分１７側に若干飛び出た折り曲げ箇所２０ａ（図８参照）が当接する。
【００２５】
もちろん、これは一例であるから、突片部２１の構成に関しては、開口部分１７の垂直縁部１７ａに連設する根元２１ａから開口部分１７側に若干飛び出るような格好で前面板１６の内側に折り曲げる、或いは折り返すようにして形成しても良い。
【００２６】
ところで、本実施例の身側の前面板６は、前述したように上下の垂直連結部分５、５と一連につながっている、或いは上下の垂直連結部分５、５を有するのに対して、蓋側の前面板１６は、フロント板１１と身側の前面板部分（凹み部分）６の両方にサンドイッチ状態に挟持されるように設定されている。
【００２７】
したがって、前面板同士６、１６の接合時、図１、図３で示すように、他方側の（例えば蓋側）の前面板部分１６は、フロント板１１の背面と一方側（例えば身側）の前面板部分６の隙間にピッタリと入るので、身１と蓋２との位置合わせが極めて容易である。
【００２８】
付言すると、身側と蓋側を合わせると、蓋側の前面板部分１６は、身側の若干凹んでいる所（前面板部分６）にぴったりと収まる格好となる。
【００２９】
次に、平面視の図９を参照にすると、符号１８は、上片２ｂ（下片２ｄも同じ）の前部側と一つの前面板１６の上下端部の間にそれぞれ形成された上片・下片切欠部分である。      
【００３０】
本実施例では、身１の上片１ｂ（下片１ｄも同じ）と前面板部分６の間にはスリット８が形成されているが、蓋２の上片２ｂ（下片２ｄも同じ）と前面板部分１６の間には上片・下片切欠部分１８が設けられている。したがって、身１の前面板部分６の場合と同様に蓋２の前面板部分１６も容易に折り曲げ形成することができる。
【００３１】
なお、例えば平面視の図９で示すように、上片２ｂ（下片２ｄも同じ）の接合端縁は、前述した蓋のそれに対応するように段差状に形成されている。細部的事項は前述したように割愛する。
【００３２】
（４）突条２０と突片部２１の形成方法
図１２は、突条２０と突片部２１の形成方法の一例を概略的に示してある。なお、図１２の各ｓｔｅｐは、蓋２の要部のみを示す。
【００３３】
まず、ｓｔｅｐ１は型取りされた蓋２の要部の展開を示すが、この第１段階では、蓋２の幅広側壁２ａと、該幅広側壁２ａの前端部に連設する前面板部分１６と、型抜きによった生じた切欠（開口部分に相当）１７と、型抜きによって形成された部分（突片部に相当）２１は、同一平面上に位置している。
【００３４】
次に、ｓｔｅｐ２では、幅広側壁２ａの開口部分の端部ないし前記形成された部分（突片部に相当）２１に対して、プレス加工により、水平方向に複数個の突条（凹凸）２０を平行に形成した。この時、突条（凹凸）２０の長さは、幅広側壁２ａの開口部分の端部のみならず、突片部２１の先端部２１ｂに至るまで一連に形成する。
【００３５】
次に、ｓｔｅｐ３では、前面板部分１６のみを所定方向へ略９０度折り曲げる。したがって、突片部２１は幅広側壁２ａと同一平面上にそのまま残っている。そして、最後のｓｔｅｐ４では、突片部２１を反対方向（例えば外方向）へ略９０度折り曲げる（例えば図７乃至図８参照）。なお、突片部２１の折り曲げ部分２０ａは、図１０のように見える（突片部２１は前面板１６の切欠した部分を外側に起こした格好となる）。
【００３６】
（５）組み合わせ
錠箱Ｘは、扉の自由端部に錠前の構成部材として取り付けられる。最終的には、身１に錠前に必要な各部材を適宜に組み込み、次に、蓋２の前面板１６を身１の前面板（凹み状部分）６に合うように位置づける（図１参照）。そうすると、身１と蓋２の各片１ｂ、２ｂ等の端縁が接合して、身１と蓋２はケース状となる。そして、例えば底壁１ａとカバー壁２ａ、図示しない固着手段を介して身１と蓋２とを一体的に結合する。
【００３７】
また、フロント板１１を、蓋２の前面板部分１６を押さえ付けるようにして身１の上下の垂直連結部分５、５に合わせる。そして、少なくとも使用時、図示しない固着具を介して、フロント板１１と各前面板部分６、１６は接合状態に合体する。
【実施例】
【００３８】
発明の実施の形態で示した実施例に於いて、突片部２１は、身側又は蓋側のいずれか一方の前面板部分に形成しても良い。付言すると、本発明の要部（突条２０と突片部２１）は蓋２の開口部分１７側に設けられているが、身１の開口部分７側に設けても良い。
【００３９】
また、実施例では、発明の初期の目的を達成するために、前面板部分に連設する幅広側壁の開口部分側端部及び該側端部の垂直縁部１７ａから外方向に略９０度折り曲げ形成された突片部２１に突条２０ａを形成し、前記突条の一部が施錠片ｂの一側壁ｂ１と当接する。さらに、特に図示しないが、突片部２１の先端面２１ｂは、戸先の窪みの垂直縁部に当接する。これにより、施錠片側から突条２０ａに圧力が加わっても、先端面２１ｂがストッパー機能を発揮するので、突片部２１ないし幅広側壁の開口部分側端部は容易に変形しない。
【００４０】
また、本発明は特許文献１に記載の実施例にも適用することができる。本発明と特許文献１に記載の実施例とは、身側１（１Ａ）の前面板部分と蓋側２（２Ａ）の前面板部分６、１６（６１、６２）とフロント板１１（１１Ａ）とが前後方向に一体的に重なり合う構成の錠箱である点は同じある。
【００４１】
図１３は特許文献１に記載の実施例に本発明を適用したものである。両発明の相違点は、例えば特許文献１の身側１Ａの上下一組の前面板６１、６１と、水平方向の上片１ｂ並びに下片１ｄの各前端から垂直方向にそれぞれ突出する上下の連結板５，５をそれぞれ独立的に構成する点、蓋側２Ａの上下一組の前面板６２、６２がそれぞれ独立的に離れていると共に、これらの前面板６２、６２には身側１Ａの上下一組の前面板６１、６１と結合するための固着具用のネジ孔９が設けられている点等である。なお、蓋２Ａに設けられた突条２０、突片部２１等には、便宜上同一の符号を付して重複する説明を省略している。
【産業上の利用可能性】
【００４２】
本発明は、主に錠前や建具の業界で利用される。
【図面の簡単な説明】
【００４３】
図１乃至図１２は本発明の最良の実施例を示す各説明図。
【図１】発明の実施の環境を示す概略説明図（例えば蓋の一部を切欠）。
【図２】図１を基準にした左側面からの概略説明図。
【図３】要部の拡大説明図。
【図４】身の正面図。
【図５】図４を基準にした左側面からの概略説明図。
【図６】図４を基準にした底面からの概略説明図。
【図７】蓋の正面図。
【図８】図７を基準にした左側面からの概略説明図。
【図９】図７を基準にした底面からの概略説明図。
【図１０】蓋の斜視図。
【図１１】要部の縦断面概略説明図。
【図１２】要部の形成方法の一例を示す工程図。
【図１３】特許文献１に記載の発明に適用した場合の概略説明図。
【符号の説明】
【００４４】
Ｘ…建具用錠箱、ｂ…施錠片、ｂ１…一側壁、１、１Ａ…身、１ａ…幅広側壁（底面）、１ｂ…上片、１ｃ…後片、１ｄ…下片、６…前面板、５…上下の垂直連結部分、７…施錠片用開口部分、８…スリット、９…貫通孔、２、２Ａ…蓋、２ａ…幅広側壁（カバー面）、２ｂ…上片、２ｃ…後片、２ｄ…下片、１６…前面板、１７…蓋側の開口部分、１７ａ…垂直縁部、１８…上片・下片切欠部分、２０…突条、２０ａ…折り曲げ箇所、２１…突片部、２１ａ…根元部、２１ｂ…先端部。
【図１】
2008002166.tif 000003
【図２】
2008002166.tif 000004
【図３】
2008002166.tif 000005
【図４】
2008002166.tif 000006
【図５】
2008002166.tif 000007
【図６】
2008002166.tif 000008
【図７】
2008002166.tif 000009
【図８】
2008002166.tif 000010
【図９】
2008002166.tif 000011
【図１０】
2008002166.tif 000012
【図１１】
2008002166.tif 000013
【図１２】
2008002166.tif 000014
【図１３】
2008002166.tif 000015